(57)【要約】【課題】部屋暖房部等が付加される場合でも、吹き出しが十分確保されるとともに、ロータンクからの手洗い等の散水が吹出口に侵入しない脱臭吹き出しを得ることを目的とする。【解決手段】脱臭ユニット７と、脱臭ユニット７を覆うケース９とを備え、このケース９背面下方部の吸引し脱臭した空気を吹き出す吹出口１０に開閉シャッター１１を設けることにより、部屋暖房部等が付加される場合でも、吹き出しが十分確保されるとともに、ロータンクからの手洗い等の散水が吹出口に侵入しない脱臭吹き出しを得ることができる。【選択図】図１
2005139618.tif 000002
【特許請求の範囲】
【請求項１】
便器と、排便時の臭いを吸引し脱臭するファンと脱臭材と風洞を有する脱臭ユニットと、前記脱臭ユニットを載せるベースと、前記脱臭ユニットを覆うケースとを備え、前記ケース背面下方部に吸引し脱臭した空気を吹き出す吹出口を設け、この吹出口に開閉シャッターを設けたトイレ装置。
【請求項２】
開閉シャッターはその上部を回転軸とした請求項１に記載のトイレ装置。
【請求項３】
開閉シャッターは吹き出しの風圧で動作する請求項１または２に記載のトイレ装置。
【請求項４】
開閉シャッター上部近傍のケースに突出部を設けた請求項１〜３のいずれか１項に記載のトイレ装置。
【請求項５】
脱臭ユニットを局部の洗浄等を行う温水洗浄装置に設けた請求項１〜４のいずれか１項に記載のトイレ装置。
【発明の詳細な説明】
【技術分野】
【０００１】
本発明は、脱臭吹き出しに特長を有するトイレ装置に関するものである。
【背景技術】
【０００２】
従来、この種のトイレ装置としては、脱臭吹き出しを本体側面方向斜め下へ吹き出したものがあった（例えば、特許文献１参照）。
【特許文献１】特開平１１−１３１５５４号公報
【発明の開示】
【発明が解決しようとする課題】
【０００３】
しかしながら、前記従来の構成では、ケーシングの側面斜め下へ吹出口があるため、部屋暖房機能等が付加されるトイレ装置の場合、大体がケーシング側面にこの部屋暖房部等が設けられるため、十分な吹き出しが確保されず、この構成は適さないという課題を有していた。
【０００４】
本発明は、前記従来の課題を解決するもので、部屋暖房部等が設けられる場合でも吹き出しが十分行えるとともに、ロータンクからの手洗い等の散水が吹出口に侵入しない脱臭吹き出しを得るトイレ装置の提供を目的とする。
【課題を解決するための手段】
【０００５】
前記従来の課題を解決するために、本発明のトイレ装置は、便器と、排便時の臭いを吸引し脱臭するファンと脱臭材と風洞を有する脱臭ユニットと、前記脱臭ユニットを載せるベースと、前記脱臭ユニットを覆うケースとを備え、前記ケース背面下方部に吸引し脱臭した空気を吹き出す吹出口を設け、この吹出口に開閉シャッターを設けたものである。
【０００６】
これによって、ケース側面に部屋暖房部等が設けられても吹き出しが十分行えるとともに、ロータンクからの手洗い等の散水が吹出口に侵入しないものとするものである。
【発明の効果】
【０００７】
本発明のトイレ装置は、部屋暖房部等が設けられる場合でも吹き出しが十分行えるとともに、ロータンクからの手洗い等の散水が吹出口に侵入しない脱臭吹き出しを得ることができる。
【発明を実施するための最良の形態】
【０００８】
第１の発明は、便器と、排便時の臭いを吸引し脱臭するファンと脱臭材と風洞を有する脱臭ユニットと、前記脱臭ユニットを載せるベースと、前記脱臭ユニットを覆うケースとを備え、前記ケース背面下方部に吸引し脱臭した空気を吹き出す吹出口を設け、この吹出口に開閉シャッターを設けたトイレ装置とすることにより、ケース側面に部屋暖房部等が設けられても吹き出しはケース背面側に行われるため、十分な吹き出しが確保されるとともに、開閉シャッターで、手洗い等の散水はガードされ、手洗い等の散水はこの吹出口に侵入することはない。
【０００９】
第２の発明は、特に、第１の発明における開閉シャッターはその上部を回転軸としたことにより、ロータンク上部からの手洗い等の散水を確実にガードできる。
【００１０】
第３の発明は、特に、第１または第２の発明における開閉シャッターは吹き出しの風圧で動作することにより、簡単な構成で実現でき、開閉シャッター動作時の音がなく、静音化が図れる。
【００１１】
第４の発明は、特に、第１〜第３のいずれか１つの発明における開閉シャッター上部近傍のケースに突出部を設けたことにより、開閉シャッターの開き過ぎを防止でき、ロータンクとの干渉を確実になくすことができる。
【００１２】
第５の発明は、特に、第１〜第４のいずれか１つの発明において、脱臭ユニットを局部の洗浄等を行う温水洗浄装置に設けたことにより、ケース側面等を有効に活用し、新機能を付加し、商品進化を遂げているこの分野に適した構成とすることができる。
【００１３】
以下、本発明の実施の形態について、図面を参照しながら説明する。なお、この実施の形態によって本発明が限定されるものではない。
【００１４】
（実施の形態１）
図１〜図３は、本発明の実施の形態１におけるトイレ装置を示すものである。
【００１５】
図において、排便時の臭いを吸引するファン４と、その吸引された臭いを脱臭する脱臭材５と、これらファン４と脱臭材５の通風経路をつくる風洞６から成る脱臭ユニット７があり、この脱臭ユニット７はベース８の上に載せて配設されている。そして、これら脱臭ユニット７を含む各機能部品類を覆い外観を形成するケース９の背面下方部に吸引し脱臭した空気を吹き出す吹出口１０があり、この吹出口１０に開閉シャッター１１が設けられている。このトイレ装置は、ケース９と便座１３を覆うことができる便ふた１２、便器１４、およびロータンク１５を備えている。
【００１６】
以上のように構成されたトイレ装置において、ケース９背面下方部の吹出口１０に吸引し脱臭した空気が吹き出され、ケース９側面に部屋暖房部ａ等が設けられても吹き出しはケース９背面側に行われる。さらに、開閉シャッター１１でロータンク１５での手洗い等の散水はガードされる。したがって、部屋暖房部ａ等の付加機能が設けられる場合でも吹き出しが十分行えるとともに、手洗い等の散水が吹出口１０に侵入しないものを得ることができる。
【００１７】
また、本実施の形態では開閉シャッター１１の上部を回転軸とすることにより、開閉シャッター１１上部は常に閉状態を保つので、ロータンク１５上部からの手洗い等の散水を確実にガードできる。
【００１８】
また、本実施の形態では開閉シャッター１１を吹き出しの風圧で動作させることにより、特別な手段を有することなく簡単な構成で開閉シャッター１１を動かせ、動作時の音がなく、静音化を図れる。
【００１９】
また、本実施の形態では開閉シャッター１１、吹出口１０、脱臭ユニット７を局部の洗浄等を行う温水洗浄装置に設けることにより、ケース側面等を有効に活用し、新機能を付加し、商品進化を遂げているこの分野に適した構成とすることができる。
【００２０】
（実施の形態２）
図４、図５は、本発明の実施の形態２におけるトイレ装置を示すものである。
【００２１】
本実施の形態において、実施の形態１の構成と異なるのは、開閉シャッター１１の上部近傍のケース９にＬ状の突出部ｂを設けたところである。なお、実施の形態１と同一符号のものは同一構造を有し、説明は省略する。
【００２２】
以上のように構成されたトイレ装置において、開閉シャッター１１が風圧で開くと、この突出部ｂに開閉シャッター１１が当接し、開き角度が規制され、ロータンク１５への干渉を確実になくすことができる。
【産業上の利用可能性】
【００２３】
以上のように、本発明にかかるトイレ装置は、部屋暖房部等が設けられる場合でも吹き出しが十分行えるとともに、ロータンクからの手洗い等の散水が吹出口に侵入しない脱臭吹き出しを得ることができるので、温水衛生洗浄装置等として有用である。
【図面の簡単な説明】
【００２４】
【図１】本発明の実施の形態１におけるトイレ装置の要部縦断面図
【図２】同トイレ装置のケース側の背面斜視図
【図３】同トイレ装置の外観斜視図
【図４】本発明の実施の形態２におけるトイレ装置の要部縦断面図
【図５】同トイレ装置のケース側の背面斜視図
【符号の説明】
【００２５】
４  ファン
５  脱臭材
６  風洞
７  脱臭ユニット
９  ケース
１０  吹出口
１１  開閉シャッター
１５  ロータンク
ａ  部屋暖房部
ｂ  突出部
【図１】
2005139618.tif 000003
【図２】
2005139618.tif 000004
【図３】
2005139618.tif 000005
【図４】
2005139618.tif 000006
【図５】
2005139618.tif 000007